(57)【要約】【課題】各種の印字用紙（ラベル用紙９）を巻き取る態様に応じて構成を変える必要がなく、印字用紙９を直接巻き取る場合、あるいは紙管などを介して間接的に巻き取る場合の両方に適用可能な印字用紙巻取り装置を提供することを課題とする。【解決手段】巻取り軸（コア）に「コ」字状のホールドレバー１９を移動可能に設けること、ホールドレバー１９の位置を可変として、その第１の位置において印字用紙９をセットしたり取り外し可能とし、その第２の位置において巻き取り可能とすることに着目し、印字用紙９を巻き掛けることができるコア部１８と、コア部１８との間にわずかな間隔を形成する第１の位置、およびコア部１８との間に印字用紙９あるいは印字用紙９用の芯管を固定する第２の位置に移動セット可能なホールドレバー１９と、を有することを特徴とする。【選択図】        図１
2004256283.tif 000002
【特許請求の範囲】
【請求項１】
帯状の印字用紙をロール状に巻き取る印字用紙巻取り装置であって、
巻取り駆動部に連結してあるとともに、前記印字用紙を巻き掛けることができるコア部と、
このコア部に対して、このコア部との間にわずかな間隔を形成することができる第１の位置、およびこのコア部との間に前記印字用紙あるいは前記印字用紙用の芯管を固定することができる第２の位置に移動セット可能なホールドレバーと、
を有するとともに、
このホールドレバーの前記第１の位置で前記印字用紙を取り外し可能とし、前記第２の位置で前記印字用紙を巻き取り可能とすることを特徴とする印字用紙巻取り装置。
【請求項２】
前記コア部は、
前記ホールドレバーを前記コア部の軸方向に移動可能に前記ホールドレバーに係合する軸方向コア孔部と、
前記ホールドレバーに形成した挟持片と係脱可能であり、互いの間に前記印字用紙を固定可能な固定用壁部と、
を有することを特徴とする請求項１記載の印字用紙巻取り装置。
【請求項３】
前記コア部は、
前記ホールドレバーを前記コア部の軸方向に移動可能に前記ホールドレバーに係合する軸方向係合溝と、
前記ホールドレバーに形成したレバーテーパー状突出部と係脱可能であり、前記ホールドレバーに形成した挟持片と前記コア部に形成した固定用壁部との間に前記印字用紙を固定可能とする保持用腕部と、
を有することを特徴とする請求項１記載の印字用紙巻取り装置。
【請求項４】
前記コア部には、コアテーパー状突出部を形成し、
前記ホールドレバーには、このコアテーパー状突出部に係脱可能なレバー係脱孔を形成したことを特徴とする請求項１記載の印字用紙巻取り装置。
【請求項５】
前記ホールドレバーの前記第１の位置は、
前記ホールドレバーを前記コア部に対してその軸方向外方に引き出した位置であり、
前記ホールドレバーの前記第２の位置は、
前記ホールドレバーを前記コア部に対してその軸方向内方に押し込んだ位置であることを特徴とする請求項１記載の印字用紙巻取り装置。
【請求項６】
前記ホールドレバーは、前記コア部の軸方向に互いに平行に延びるとともに前記コア部の径方向において互いに反対側の周面に位置する第１の可動部および第２の可動部を有し、
前記ホールドレバーの前記第１の位置は、
この第１の可動部を前記コア部に対してその径方向内方に移動させることにより前記印字用紙を前記コア部から取り外し可能とする位置であり、
前記ホールドレバーの前記第２の位置は、
この第２の可動部を前記コア部に対してその径方向内方に移動させることにより前記印字用紙を前記コア部に巻き掛け可能とする位置であることを特徴とする請求項１記載の印字用紙巻取り装置。
【請求項７】
前記ホールドレバーは、前記コア部の軸方向に互いに平行に延びるとともに前記コア部の径方向において互いに反対側の周面に位置する第１の可動部および第２の可動部を有し、
前記ホールドレバーの前記第１の位置は、
この第２の可動部を前記コア部に対してその径方向外方に移動させることにより前記印字用紙を前記コア部から取り外し可能とする位置であり、
前記ホールドレバーの前記第２の位置は、
この第１の可動部を前記コア部に対してその径方向外方に移動させることにより前記印字用紙を前記コア部に巻き掛け可能とする位置であることを特徴とする請求項１記載の印字用紙巻取り装置。
【請求項８】
前記ホールドレバーは、
前記コア部の直径方向に延びる径方向プレート部と、
この径方向プレート部の両端部から前記コア部の軸方向にそれぞれ延びる第１の可動部および第２の可動部と、
を有するとともに、
この第１の可動部は、前記コア部から径方向外方に突出して前記印字用紙の芯管を保持可能であり、
この第２の可動部は、前記コア部との間に前記印字用紙を挟持可能であることを特徴とする請求項１記載の印字用紙巻取り装置。
【請求項９】
前記ホールドレバーは、
前記コア部から外方に突出径方向外方に突出して前記印字用紙の芯管を保持可能なレバー突出部と、
前記コア部との間に前記印字用紙を挟持可能な挟持片と、
を有することを特徴とする請求項１記載の印字用紙巻取り装置。
【請求項１０】
前記コア部に自由端として保持用腕部を形成するとともに、
この保持用腕部には、保持用孔部を形成し、
前記ホールドレバーに形成したレバーテーパー状突出部とこの保持用孔部とを互いに係脱可能として、前記ホールドレバーに形成した挟持片と前記コア部の固定用壁部との間に前記印字用紙を固定可能とすることを特徴とする請求項１記載の印字用紙巻取り装置。
【請求項１１】
前記印字用紙に印字を行う印字部から前記コア部に至る弧状の用紙案内通路を形成したことを特徴とする請求項１記載の印字用紙巻取り装置。
【発明の詳細な説明】
【０００１】
【発明の属する技術分野】
本発明は印字用紙巻取り装置にかかるもので、とくに各種のプリンターに装備して印字用紙をロール状に巻き取るための印字用紙巻取り装置に関するものである。
【０００２】
【従来の技術】
従来のプリンター、とくにラベルあるいはタグ（下げ札）など各種の印字用紙に印字するラベルプリンターやタグプリンターなどにおいては、印字した用紙をロール状に巻き取る態様に三態様ある。
すなわち、巻取り軸に印字したラベル用紙あるいはタグをそのまま直に巻き取る態様、ラベル用紙からラベルのみを剥離して台紙を直に巻き取る態様、および巻取り軸に巻き取り用の芯管（通常は紙管あるいはプラスチック管）をセットしておいて、この芯管にラベル用紙あるいはタグを巻き取る態様、である。
【０００３】
しかしながら、それぞれの態様において、巻取り装置がそれぞれ異なった構成を採る必要があるという問題がある。
すなわち、巻取り軸にラベル用紙やタグあるいは台紙を直に巻き取る場合には、これらの先端部を巻取り軸に固定するための手段が必要であり、一方、巻取り軸に紙管などを介して印字用紙を巻き取るためには、紙管自体を巻取り軸に固定するために巻取り軸と紙管の内周面との間に板バネその他の付勢部材を介在させる必要がある。
【０００４】
したがって、同一のプリンターでありながら、これに装填する印字用紙の種類あるいはそれぞれの巻取り態様に応じて、ラベル用紙やタグ用紙あるいは台紙を巻き取る場合と、芯管を介して巻き取る場合とで巻取り装置部分の構成が異なり、巻取りを行うための準備段階における操作性に問題があるとともに、部品点数が増えたり、巻取りのための各種部品の装着あるいは取外しその他の手間およびコストがかかるという問題がある。
【０００５】
【特許文献１】
特開平１１−９１９９３号公報
【特許文献２】
特開２０００−３１３５５２号公報
【０００６】
【発明が解決しようとする課題】
本発明は以上のような諸問題にかんがみなされたもので、各種の印字用紙を巻き取る態様に応じて構成を変える必要がない印字用紙巻取り装置を提供することを課題とする。
【０００７】
また本発明は、印字用紙を直接巻き取る場合、あるいは紙管などを介して間接的に巻き取る場合の両方に適用可能な印字用紙巻取り装置を提供することを課題とする。
【０００８】
また本発明は、巻取り準備操作および巻き取ったあとの抜取り操作が簡単であるとともに、安価に製造可能な印字用紙巻取り装置を提供することを課題とする。
【０００９】
また本発明は、印字用紙がラベル用紙である場合に、その台紙からラベル片を剥離することなく巻き取る際の用紙案内通路、あるいは印字用紙がタグ用紙である場合の用紙案内通路、を別途形成可能とすることにより、巻取り性能を安定化させることができる印字用紙巻取り装置を提供することを課題とする。
【００１０】
【課題を解決するための手段】
すなわち本発明は、巻取り軸（コア）に、たとえば「コ」字状のホールドレバーを移動可能に設けること、このホールドレバーの位置を可変として、その第１の位置において印字用紙をセットしたり取り外し可能とするとともに、その第２の位置において巻き取り可能とすることに着目したもので、帯状の印字用紙をロール状に巻き取る印字用紙巻取り装置であって、巻取り駆動部に連結してあるとともに、上記印字用紙を巻き掛けることができるコア部と、このコア部に対して、このコア部との間にわずかな間隔を形成することができる第１の位置、およびこのコア部との間に上記印字用紙あるいは上記印字用紙用の芯管を固定することができる第２の位置に移動セット可能なホールドレバーと、を有するとともに、このホールドレバーの上記第１の位置で上記印字用紙を取り外し可能とし、上記第２の位置で上記印字用紙を巻き取り可能とすることを特徴とする印字用紙巻取り装置である。
【００１１】
上記コア部は、上記ホールドレバーを上記コア部の軸方向に移動可能に上記ホールドレバーに係合する軸方向コア孔部と、上記ホールドレバーに形成した挟持片と係脱可能であり、互いの間に上記印字用紙を固定可能な固定用壁部と、を有することができる。
【００１２】
上記コア部は、上記ホールドレバーを上記コア部の軸方向に移動可能に上記ホールドレバーに係合する軸方向係合溝と、上記ホールドレバーに形成したレバーテーパー状突出部と係脱可能であり、上記ホールドレバーに形成した挟持片と上記コア部に形成した固定用壁部との間に上記印字用紙を固定可能とする保持用腕部と、を有することができる。
【００１３】
上記コア部には、コアテーパー状突出部を形成し、上記ホールドレバーには、このコアテーパー状突出部に係脱可能なレバー係脱孔を形成することができる。
【００１４】
上記ホールドレバーの上記第１の位置は、上記ホールドレバーを上記コア部に対してその軸方向外方に引き出した位置であり、上記ホールドレバーの上記第２の位置は、上記ホールドレバーを上記コア部に対してその軸方向内方に押し込んだ位置であることができる。
【００１５】
上記ホールドレバーは、上記コア部の軸方向に互いに平行に延びるとともに上記コア部の径方向において互いに反対側の周面に位置する第１の可動部および第２の可動部を有し、上記ホールドレバーの上記第１の位置は、この第１の可動部を上記コア部に対してその径方向内方に移動させることにより上記印字用紙を上記コア部から取り外し可能とする位置であり、上記ホールドレバーの上記第２の位置は、この第２の可動部を上記コア部に対してその径方向内方に移動させることにより上記印字用紙を上記コア部に巻き掛け可能とする位置であることができる。
【００１６】
上記ホールドレバーは、上記コア部の軸方向に互いに平行に延びるとともに上記コア部の径方向において互いに反対側の周面に位置する第１の可動部および第２の可動部を有し、上記ホールドレバーの上記第１の位置は、この第２の可動部を上記コア部に対してその径方向外方に移動させることにより上記印字用紙を上記コア部から取り外し可能とする位置であり、上記ホールドレバーの上記第２の位置は、この第１の可動部を上記コア部に対してその径方向外方に移動させることにより上記印字用紙を上記コア部に巻き掛け可能とする位置であることができる。
【００１７】
上記ホールドレバーは、上記コア部の直径方向に延びる径方向プレート部と、この径方向プレート部の両端部から上記コア部の軸方向にそれぞれ延びる第１の可動部および第２の可動部と、を有するとともに、この第１の可動部は、上記コア部から径方向外方に突出して上記印字用紙の芯管を保持可能であり、この第２の可動部は、上記コア部との間に上記印字用紙を挟持可能であることができる。
【００１８】
上記ホールドレバーは、上記コア部から外方に突出径方向外方に突出して上記印字用紙の芯管を保持可能なレバー突出部と、上記コア部との間に上記印字用紙を挟持可能な挟持片と、を有することができる。
【００１９】
上記コア部に自由端として保持用腕部を形成するとともに、この保持用腕部には、保持用孔部を形成し、上記ホールドレバーに形成したレバーテーパー状突出部とこの保持用孔部とを互いに係脱可能として、上記ホールドレバーに形成した挟持片と上記コア部の固定用壁部との間に上記印字用紙を固定可能とすることができる。
【００２０】
上記印字用紙に印字を行う印字部から上記コア部に至る弧状の用紙案内通路を形成することができる。
【００２１】
本発明による印字用紙巻取り装置においては、巻取り軸（コア）に、たとえば「コ」字状のホールドレバーを設けるととともに、このホールドレバーの位置を可変として、その第１の位置において印字用紙をセットしたり取り外し可能とし、その第２の位置において印字用紙を巻き取り可能としたので、印字用紙の巻取り態様に合わせて板バネの着脱などの手間のかかる準備作業を行う必要がなく、操作が単純であるとともに、構成部品としては、巻取り軸（コア部）およびホールドレバーだけであるので、安価に製造することができる。
【００２２】
【発明の実施の形態】
つぎに本発明の実施の形態による印字用紙巻取り装置を装備したプリンター（たとえばラベルプリンター１）を図１ないし図１３にもとづき説明する。
図１は、ラベルプリンター１の断面側面図であって、ラベルプリンター１は、フレーム２と、印字部３と、剥離部４と、ラベルガイド部５と、印字用紙巻取り装置６と、を有する。
【００２３】
フレーム２には、印字部３のプラテンローラー７、剥離部４、ラベルガイド部５および印字用紙巻取り装置６を取り付ける。
【００２４】
印字部３は、プラテンローラー７と、サーマルヘッド８と、を有し、プラテンローラー７およびサーマルヘッド８の間に印字用紙（たとえばラベル用紙９）を挟持してプラテンローラー７の回転により所定移送速度で移送するとともに、サーマルヘッド８からの印字信号によりラベル用紙９上に印字を行う。
ラベル用紙９は、帯状の台紙１０と、台紙１０上に仮着した複数枚のラベル片１１と、を有する。
【００２５】
剥離部４は、剥離プレート１２と、台紙移送用の駆動ローラー１３および従動ローラー１４と、を有し、剥離プレート１２の部分においてラベル用紙９の台紙１０のみを転向させ、印字用紙巻取り装置６に台紙１０を巻き取ることにより、ラベル片１１を台紙１０から剥離することができる。
【００２６】
ラベルガイド部５は、巻取りカバー１５を有し、巻取りカバー１５内に弧状（半円弧状）のラベル案内通路１６（用紙案内通路）を形成してあって、ラベル用紙９からラベル片１１を剥離せずにラベル用紙９のままの状態で印字部３ないし剥離部４からラベル案内通路１６内を印字用紙巻取り装置６まで案内し、印字用紙巻取り装置６に巻き取り可能とする。
したがって、ラベル案内通路１６の曲率半径を印字用紙巻取り装置６のコア部１８（後述）のそれより十分大きく形成することにより、台紙１０からラベル片１１が剥離してしまうことなく巻き取るように案内することができ、巻取り性能を安定化させることができる。
【００２７】
図２は、印字用紙巻取り装置６の正面図、図３は、図２のＩＩＩ−ＩＩＩ線断面図であって、印字用紙巻取り装置６は、巻取り駆動部１７と、巻取り駆動部１７に連結したコア部１８と、ホールドレバー１９と、を有する。
【００２８】
巻取り駆動部１７は、巻取りギア２０と、シャフト２１と、ベアリング２２と、トルクリミッター２３（トルク伝達部材）と、Ｅリング２４と、を有する。
【００２９】
巻取りギア２０は、シャフト２１と一体であって、駆動モーター２５（図１）からの回転駆動力をシャフト２１、トルクリミッター２３およびコア部１８に伝えて、コア部１８によるラベル用紙９（あるいは台紙１０）の巻取りを可能とする。
なおとくに図１に示すように、駆動モーター２５は、プラテンローラー７、台紙移送用の駆動ローラー１３および巻取りギア２０を互いに同期して回転可能としている。
【００３０】
コア部１８は、中心部２６と、円筒部２７と、可撓性舌片形状の保持用腕部２８と、を有する。
中心部２６は、シャフト２１にこれを軸支し、トルクリミッター２３とベアリング２２との間に位置して所定のトルク力で回転可能としている。
円筒部２７は、中心部２６の円周部に円筒状に位置するとともに、その一部を保持用腕部２８として延出し、とくに図１に示すように、円筒部２７の一部および保持用腕部２８にホールドレバー１９を可動に支持している。
保持用腕部２８は、円筒部２７から自由端としてこれを延出してあり、円筒部２７の固定用壁部２９との間に用紙固定用空間３０（図１、図７、図１０）を形成している。
【００３１】
さらに、コア部１８において、その中心部２６および円筒部２７の一方の外周面側（とくに図７を参照）には、断面傾斜形状を有するコアテーパー状突出部３１を所定間隔をあけて軸方向に形成し、ホールドレバー１９に形成したレバー係脱孔３２に係脱可能とする。
また、円筒部２７には、所定間隔をあけて軸方向に軸方向コア孔部３３を形成するとともに、保持用腕部２８には、同じく所定間隔をあけて軸方向に保持用孔部３４を形成してある。
【００３２】
ホールドレバー１９は、コア部１８に対して、その軸方向に引き出し、および押し込むことにより、第１の位置および第２の位置にこれを移動セット可能なものである。
すなわち、図４および図５は、ホールドレバー１９の斜視図であって、互いにホールドレバー１９を反対方向から示している。
ホールドレバー１９は、径方向プレート部３５と、第１の可動部３６および第２の可動部３７と、を有する、ほぼ「コ」字状の部材である。
【００３３】
径方向プレート部３５は、コア部１８の一方の端部に位置して、その直径方向に延びるもので、第１の可動部３６および第２の可動部３７が径方向プレート部３５の両端部からコア部１８の軸方向に互いに平行にそれぞれ延びている。
第１の可動部３６は、コア部１８から外方に突出して印字用紙９の芯管４４（図１３）を保持可能とするものであり、第２の可動部３７は、コア部１８との間に印字用紙９を挟持可能とするものである。
すなわち、ホールドレバー１９の第１の位置は、その第１の可動部３６がコア部１８に対して径方向内方に移動してラベル用紙９の芯管４４（図１３）を取り外すことができる位置であるとともに、その第２の可動部３７がコア部１８との間にわずかな間隔（用紙固定用空間３０におけるわずかな取外し用間隙４３、図７）を形成してラベル用紙９を取り外すことができる位置である。
また、ホールドレバー１９の第２の位置は、その第１の可動部３６がコア部１８に対して径方向外方に移動してラベル用紙９の芯管４４（図１３）を固定することができる位置であるとともに、その第２の可動部３７がコア部１８との間にラベル用紙９を固定して巻き取ることができる位置である。
【００３４】
すなわち、図６ないし図８が、ホールドレバー１９の開放時（第１の位置）であって、印字用紙巻取り装置６にラベル用紙９あるいはその台紙１０の先端部を取り付ける前、ないし印字用紙巻取り装置６からラベル用紙９あるいはその台紙１０を取り外し可能とした状態を示し、図６は、印字用紙巻取り装置６の平面図、図７は、断面図、図８は、側面図である。
図９ないし図１１が、ホールドレバー１９のセット時（第２の位置）であって、印字用紙巻取り装置６にラベル用紙９あるいはその台紙１０を取り付けて巻き取り可能とした状態を示し、図９は、印字用紙巻取り装置６の平面図、図１０は、断面図、図１１は、側面図である。
【００３５】
第１の可動部３６の外壁面には、コア部１８の外周面に軸方向に形成した軸方向係合溝３８から外方に突出可能な径方向レバー三角突出部３９（レバー突出部）を形成する。
第１の可動部３６の内壁面には、コア部１８の軸方向コア孔部３３に係合してコア部１８およびホールドレバー１９を軸方向には互いに移動可能とし、径方向にはわずかに互いに移動可能とするように一体化している一体化用係合片４０を形成している。
【００３６】
第２の可動部３７の外壁面には、保持用腕部２８の保持用孔部３４に係脱して、コア部１８（円筒部２７の固定用壁部２９）との間に印字用紙９あるいはその台紙１０を挟持可能な状態を作り出すための断面傾斜形状を有するレバーテーパー状突出部４１を形成する。
第２の可動部３７の内壁面には、固定用壁部２９に対向していて固定用壁部２９との間に印字用紙９あるいはその台紙１０を実際に挟持して固定可能である挟持片４２を形成している。
【００３７】
こうした構成の印字用紙巻取り装置６において、図６ないし図８に示すように、ホールドレバー１９の第１の位置は、ホールドレバー１９をコア部１８に対してその軸方向から外方に移動した（引き出した）位置であって、図９ないし図１１に示すように、ホールドレバー１９の第２の位置は、ホールドレバー１９をコア部１８に対してその軸方向内方に移動した（押し込んだ）位置である。
【００３８】
とくに図６ないし図８に示すように、ホールドレバー１９の径方向プレート部３５を持ってコア部１８からその軸方向外方にホールドレバー１９を引いた状態では、その第１の可動部３６のレバー係脱孔３２にコア部１８のコアテーパー状突出部３１が係合し、第１の可動部３６が、コア部１８の軸方向係合溝３８内において、内方に引き込まれた状態である。
また、コア部１８の保持用腕部２８と固定用壁部２９との間における用紙固定用空間３０内において、ホールドレバー１９の第２の可動部３７のレバーテーパー状突出部４１が保持用腕部２８の保持用孔部３４に係合するとともに、挟持片４２は固定用壁部２９との間にわずかな取外し用間隙４３を形成している。
したがって、ホールドレバー１９が第１の位置に位置しているこの状態で、挟持片４２と固定用壁部２９との間の取外し用間隙４３にラベル用紙９あるいはその台紙１０を挟み込むことができ、ついで、図９ないし図１１に示すように、ホールドレバー１９をコア部１８に対して押し込むように移動させることにより、挟持片４２と固定用壁部２９との間にラベル用紙９あるいはその台紙１０を固定することができる。
【００３９】
すなわち、図９ないし図１１に示すように、コア部１８のコアテーパー状突出部３１（あるいは第２の可動部３７のレバーテーパー状突出部４１）の軸方向長さＬ分だけ、ホールドレバー１９の径方向プレート部３５をコア部１８の軸方向内方に押し込んだ状態では、コア部１８のコアテーパー状突出部３１がホールドレバー１９の引き出し方向にテーパー状に形成されているので、ホールドレバー１９の第１の可動部３６（径方向レバー三角突出部３９の内壁面）が、コア部１８の軸方向係合溝３８内において、コアテーパー状突出部３１に乗り上げる結果、径方向にその突出量Ｔ１（図７、図１０）だけ移動し、ホールドレバー１９全体を図１０中下方（第２の可動部３７から第１の可動部３６方向、あるいは用紙固定用空間３０から軸方向係合溝３８方向）にずらせる。
したがって、とくに図１１に示すように、第１の可動部３６の径方向レバー三角突出部３９がコア部１８の円筒部２７における軸方向係合溝３８から少なくともコア部１８の外方にわずかに突出量Ｔ１だけ突出し、この第１の可動部３６（径方向レバー三角突出部３９）の部分において紙管４４を所定の抵抗力をもって固定可能である（図１３を参照）。
【００４０】
第１の可動部３６の上記移動とともに、第２の可動部３７は、そのレバーテーパー状突出部４１がホールドレバー１９の押し込み方向にテーパー状に形成されているので、用紙固定用空間３０内において、レバーテーパー状突出部４１が保持用腕部２８の保持用孔部３４から保持用腕部２８の内壁面に係合して、第２の可動部３７全体を径方向に上記突出量Ｔ１（図７、図１０）だけ移動させる結果、挟持片４２が固定用壁部２９との間のわずかな取外し用間隙４３をなくし、ここに挟んであったラベル用紙９あるいは台紙１０を所定押圧力で挟み込むことができる。
さらに、ホールドレバー１９の第２の可動部３７のレバーテーパー状突出部４１が、保持用腕部２８の保持用孔部３４から保持用腕部２８の内壁面に係合して乗り上げる結果、自由端である保持用腕部２８が円筒部２７においてわずかに突出量Ｔ２だけ元位置から外方に突出するように変形し、上記径方向レバー三角突出部３９の突出量Ｔ１と併せて、ラベル用紙９の紙管４４を内側から押さえることができ、コア部１８に固定可能とする。
【００４１】
図１２は、ラベル用紙９あるいは台紙１０をコア部１８に直接的に巻き付ける場合の斜視図、図１３は、紙管４４をコア部１８に装填してこの紙管４４にラベル用紙９（あるいはその台紙１０）を間接的に巻き付ける場合の斜視図であって、ホールドレバー１９をその第１の位置から第２の位置に移動させることにより、図１２に示すように、取外し用間隙４３にラベル用紙９自体あるいはその台紙１０を挟み込んで巻き取ることができる。
ラベル用紙９を巻き取るときに紙管４４を使用する場合には、同様にして、ホールドレバー１９をその第１の位置から第２の位置に移動させることにより、図１３に示すように、ホールドレバー１９の径方向レバー三角突出部３９および保持用腕部２８が紙管４４をセットして巻き取ることができる。
【００４２】
上述のようにして固定して巻き取ったラベル用紙９あるいは台紙１０、ないしは紙管４４を印字用紙巻取り装置６から取外す場合には、図９ないし図１１に示す状態からホールドレバー１９をコア部１８から軸方向外方に引っ張れば（第２の位置から第１の位置に移動させれば）、図６ないし図８に示す状態に移行させ、ラベル用紙９あるいは台紙１０ないし紙管４４をコア部１８から取り外すことができる。
【００４３】
【発明の効果】
以上のように本発明によれば、コア部に対してホールドレバーをわずかに移動させるように操作するだけで、ラベル用紙あるいは台紙さらには芯管を着脱する状態に移行することができ、構成および操作が簡単でコストを低く製作することができる。
【図面の簡単な説明】
【図１】本発明の実施の形態による印字用紙巻取り装置６を装備したラベルプリンター１の断面側面図である。
【図２】同、印字用紙巻取り装置６の正面図である。
【図３】同、図２のＩＩＩ−ＩＩＩ線断面図である。
【図４】同、ホールドレバー１９の斜視図である。
【図５】同、図４とは反対方向から見た、ホールドレバー１９の斜視図である。
【図６】同、ホールドレバー１９の開放時（第１の位置）における印字用紙巻取り装置６の平面図である。
【図７】同、断面図である。
【図８】同、側面図である。
【図９】同、ホールドレバー１９のセット時（第２の位置）における印字用紙巻取り装置６の平面図である。
【図１０】同、断面図である。
【図１１】同、側面図である。
【図１２】同、ラベル用紙９あるいは台紙１０をコア部１８に直接的に巻き付ける場合の斜視図である。
【図１３】同、紙管４４をコア部１８に装填してこの紙管４４にラベル用紙９（あるいはその台紙１０）を間接的に巻き付ける場合の斜視図である。
【符号の説明】
１  ラベルプリンター（プリンター、図１）
２  フレーム
３  印字部
４  剥離部
５  ラベルガイド部
６  印字用紙巻取り装置（実施の形態、図１）
７  プラテンローラー
８  サーマルヘッド
９  ラベル用紙（印字用紙）
１０  台紙
１１  ラベル片
１２  剥離プレート
１３  台紙移送用の駆動ローラー
１４  台紙移送用の従動ローラー
１５  巻取りカバー
１６  弧状のラベル案内通路
１７  巻取り駆動部
１８  コア部
１９  ホールドレバー
２０  巻取りギア
２１  シャフト
２２  ベアリング
２３  トルクリミッター
２４  Ｅリング
２５  駆動モーター
２６  コア部１８の中心部
２７  コア部１８の円筒部
２８  コア部１８の保持用腕部
２９  円筒部２７の固定用壁部
３０  保持用腕部２８と円筒部２７の固定用壁部２９との間の用紙固定用空間
３１  コア部１８のコアテーパー状突出部
３２  ホールドレバー１９のレバー係脱孔
３３  コア部１８の軸方向コア孔部
３４  保持用腕部２８の保持用孔部
３５  ホールドレバー１９の径方向プレート部
３６  ホールドレバー１９の第１の可動部
３７  ホールドレバー１９の第２の可動部
３８  コア部１８の軸方向係合溝
３９  ホールドレバー１９の径方向レバー三角突出部（レバー突出部）
４０  ホールドレバー１９の一体化用係合片
４１  ホールドレバー１９のレバーテーパー状突出部
４２  ホールドレバー１９の挟持片
４３  挟持片４２と固定用壁部２９との間の取外し用間隙
４４  紙管（芯管、図１３）
Ｔ１  コアテーパー状突出部３１の突出量（図７、図１０）
Ｔ２  保持用腕部２８の元位置からの突出量Ｔ２（図１１）
Ｌ    コア部１８のコアテーパー状突出部３１（第２の可動部３７のレバーテーパー状突出部４１）の軸方向長さ（図７、図１０）
【図１】
2004256283.tif 000003
【図２】
2004256283.tif 000004
【図３】
2004256283.tif 000005
【図４】
2004256283.tif 000006
【図５】
2004256283.tif 000007
【図６】
2004256283.tif 000008
【図７】
2004256283.tif 000009
【図８】
2004256283.tif 000010
【図９】
2004256283.tif 000011
【図１０】
2004256283.tif 000012
【図１１】
2004256283.tif 000013
【図１２】
2004256283.tif 000014
【図１３】
2004256283.tif 000015